(57)【要約】【課題】３Ｄ−ＣＡＤシステムとＰＤＭシステム間で部品構成表情報を効率的に連繋させ、設計作業の効率化を図ること。【解決手段】ＣＡＤシステムで作成された部品構成情報を含むＣＡＤデータは、ＣＡＤデータベース２５のＤＢＭＳ２６を介してＣＡＤデータ記憶手段２７に登録される。その際、各部品に固有のＩＤを付して登録する。ユーザは、部品エディタ２０により、ＣＡＤデータ記憶手段２７に格納された部品構成情報を編集したり、部品構成情報からＢＯＭを作成したり、作成されたＢＯＭを更新することができる。上記部品表エディタ２０で更新、作成されたＢＯＭを含むＣＡＤデータ、あるいはＢＯＭは、ＰＤＭシステム３０に送られ登録される。各部品に部品固有ＩＤを付して管理しているので、部品名称が変更されても同一の部品を識別することができ部品構成情報を効果的に管理することができる。【選択図】          図１
2007280327.tif 000002
【特許請求の範囲】
【請求項１】
設計・開発に関わる情報を一元化して管理するＰＤＭシステムに適用され、３Ｄモデルと図面を作成する３Ｄ−ＣＡＤシステムで作成されるＣＡＤデータを管理するとともに、該ＣＡＤデータから抽出する部品構成情報の編集および部品構成表を作成するＣＡＤデータ管理／部品構成表作成システムであって、
上記ＣＡＤデータ管理／部品構成表作成システムは、上記ＣＡＤデータと作成された部品構成表を格納するＣＡＤデータベースと、
上記ＣＡＤデータベースへのデータの登録、更新を行う登録／更新手段と、
上記部品構成情報を編集するとともに、部品構成情報に基づき部品構成表を作成／更新する部品表エディタから構成され、
上記ＣＡＤデータベースへの登録／更新手段は、３Ｄ−ＣＡＤシステムで作成されたＣＡＤデータを上記ＣＡＤデータベースに登録する際、各部品に固有のＩＤを付与する手段を備え、
上記部品表エディタは、上記各部品に付与された固有のＩＤにより部品の識別を行って上記ＣＡＤデータベースに登録された部品構成情報を編集する手段と、ＣＡＤデータベースに登録された部品構成情報に基づき、部品構成表を作成する手段を備える
ことを特徴とするＣＡＤデータ管理／部品構成表作成システム。
【請求項２】
上記部品表エディタは、上記ＣＡＤデータベースに登録された部品構成情報が変更されたとき、上記ＣＡＤデータベースに登録された対応する部品構成表との整合性をチェックし、上記部品構成情報と部品構成表が整合するように部品構成表を更新する
ことを特徴とする請求項１に記載のＣＡＤデータ管理／部品構成表作成システム。
【請求項３】
上記部品表エディタは、ＣＡＤデータベースに登録された部品構成情報における部品の階層移動が指示されたとき、上記固有のＩＤに基づき、移動先の階層において同一の部品が存在しているか否かを判別し、移動先の階層に同一の部品が存在する場合はその数を変更し、存在していない場合には移動先の階層に移動元の階層の部品移動させることにより、部品構成情報を変更する
ことを特徴とする請求項１または請求項２に記載のＣＡＤデータ管理／部品構成表作成システム。
【請求項４】
上記部品表エディタは、ＣＡＤデータベースに登録された部品構成表を複数のサブグループに分割する指示がなされたとき、指示されたサブグループ数に上記部品構成表を分割するとともに、指示された部品の分割割合に基づき、部品数を上記分割された部品構成表に配分する
ことを特徴とする請求項１，２または請求項３に記載のＣＡＤデータ管理／部品構成表作成システム。
【請求項５】
３Ｄ−ＣＡＤシステムで作成された部品構成情報を含むＣＡＤデータと、作成された部品構成表を格納するＣＡＤデータベースを備え、上記ＣＡＤデータを管理するとともに、該ＣＡＤデータに含まれる部品構成情報から部品構成表を作成し、管理する部品構成表の作成・管理方法であって、
３Ｄ−ＣＡＤシステムで作成された上記部品構成情報を含むＣＡＤデータを、上記ＣＡＤデータベースに登録する際、各部品に固有のＩＤを付与し、
上記各部品に付与された固有のＩＤにより部品の識別を行って上記ＣＡＤデータベースに登録された部品構成情報を編集するとともに、上記ＣＡＤデータベースに登録された部品構成情報に基づき、部品構成表を作成し、設計・開発に関わる情報を一元化して管理するＰＤＭシステムに登録することを特徴とする部品構成表の作成・管理方法。
【発明の詳細な説明】
【技術分野】
【０００１】
本発明は設計・開発に関わる情報を一元化して管理するＰＤＭ（Ｐｒｏｄｕｃｔ  Ｄａｔａ  Ｍａｎａｇｅｍｅｎｔ）システムに適用され、３Ｄ−ＣＡＤシステムで作成されるＣＡＤデータを管理するとともに、該ＣＡＤデータに含まれる部品構成情報の編集および部品構成表の編集・作成を行うＣＡＤデータ管理／部品構成表作成システムおよび部品構成表の作成・管理方法に関する。
【背景技術】
【０００２】
３次元−ＣＡＤ（以下３Ｄ−ＣＡＤという）設計環境において、３Ｄ−ＣＡＤデータを管理するＰＤＭシステムは、設計業務効率化を目指し、各ベンダーで開発・提供されている。近年は、単なるデータ管理としてのＰＤＭシステムという概念から、製品の設計から製造、保守、環境までカバーしたＰＬＭ（Ｐｒｏｄｕｃｔｓ  Ｌｉｆｅｃｙｃｌｅ  Ｍａｎａｇｅｍｅｎｔ）システムという位置付けに遷移している。
製品開発のサイクルにおいて、部品構成表（以下ＢＯＭという）は最も重要な情報となるが、従来は、各部門の担当者が、マニュアルで入力するなどして、工数が膨大であったり、誤入力によるミスが多い。
そこで、３Ｄ−ＣＡＤデータを利用して部品構成表を生成したり、部品構成表を編集するシステムが従来から種々提案されている（特許文献１，２，３など参照）。
【特許文献１】特開平１１−６６１３７号公報
【特許文献２】特開２００３−３１６８３４号公報
【特許文献３】特開２００５−４６２７号公報
【発明の開示】
【発明が解決しようとする課題】
【０００３】
上述したように３Ｄ−ＣＡＤの構成情報から自動的に構成情報を抽出して、ＢＯＭを作成するなどの機能を持つＰＤＭシステム種々提案されているが、従来のものは、編集機能の自由度が低く、制約が多い等の問題もあり、運用にも支障をきたす場合もあった。
図９は３Ｄ−ＣＡＤの部品構成情報からＢＯＭを作成するＰＤＭシステムの一例を示す図である。
図９において、１０は図面を作成するための３Ｄ−ＣＡＤシステムであり、ＣＡＤデータを格納するための記憶手段１１を備えている。２０は部品表エディタであり、ユーザは部品表エディタ２０により、ＣＡＤデータに含まれる部品構成情報の編集を行ったり、ＢＯＭを作成することができる。
３０は、上記ＣＡＤデータや、ＢＯＭ等の設計・開発に関わる情報を一元化して管理するＰＤＭシステムであり、記憶手段３１には、上記３Ｄ−ＣＡＤシステムで作成された３Ｄ−ＣＡＤデータや、上記ＢＯＭが格納される。
【０００４】
図１０は上記ＣＡＤデータに含まれる部品構成情報やＢＯＭの概要を示す図である。
同図（ａ）に示すように、部品構成情報は、ある組立品（Ｔｏｐ−Ａｓｓｙ）を構成する部品をツリー状に展開したものであり、上記組立品にＳｕｂ−Ａｓｓｙが含まれ場合には、その下位に展開される。
また、ＢＯＭは上記組立品を構成する部品数を記述した表であり、同図（ｂ）に示すように組立品（Ａ００１，Ｓ００１など）毎に作成される。
図９に示すシステムにおいて、ＢＯＭの作成は、次のように行われる。まず、３Ｄ−ＣＡＤシステム１０により、部品構成情報を作成、あるいは更新する。そして、部品表エディタ２３により、上記部品構成情報に図番などを入力するなど、ＢＯＭを作成するに必要な編集やデータ入力を行い、部品表エディタ２３により上記部品構成情報からＢＯＭを生成する。部品構成情報等を含むＣＡＤデータ、ＢＯＭ等のデータはＰＤＭシステム３０の記憶手段３１に格納される。
【０００５】
上記従来のシステムにおいて３Ｄ−ＣＡＤデータの構成情報からＢＯＭを作成する場合、以下の制約があるのが一般的である
（１）あるべきＢＯＭの構成に合わせて、３Ｄ−ＣＡＤモデルの構成を作らなければならない。その場合、設計者は３Ｄ−ＣＡＤ上でのデータの作成に多大な制約を受ける。
（２）３Ｄ−ＣＡＤデータの構成情報を元に、部品表エディタでＢＯＭを生成できるように部品構成情報を編集するが、元の３Ｄ−ＣＡＤの部品構成情報に変更があった場合には、部品構成情報の手直しが必要になるなど、非効率的な作業が発生する。
すなわち、３Ｄ−ＣＡＤシステムでは、ＢＯＭの作成を意識して部品構成情報を作成しなければならない。また、ＢＯＭを変更する場合には、３Ｄ−ＣＡＤシステムで再度、構成情報を変更するなどの作業が発生する場合もあった。
以上のように従来のシステムは、編集機能の自由度が低く、制約が多い等の問題があり、設計作業の効率化のために、編集の自由度の高いシステムが望まれている。
本発明は、上述した事情に鑑みなされたものであって、３Ｄ−ＣＡＤシステムとＰＤＭシステム間で部品構成表情報を効率的に連繋させることができ、編集の自由度が高く、設計作業の効率化を図ることが可能な部品構成表の作成・管理システムおよび方法を提供することを目的とする。
【課題を解決するための手段】
【０００６】
３Ｄ−ＣＡＤシステムでは部品名称を随時変更可能としているが、部品名称で管理すると、名称を変更したとき過去の管理情報が抹消されてしまい、部品の識別が出来なくなることがある。これが、部品構成情報の編集、ＢＯＭの自動生成などを行う上での支障となっていた。そこで、本発明では、ＣＡＤデータを登録する際、各部品に固有のＩＤを付与するようにした。本固有ＩＤは、データベース内ではユニークなものであり、かつ、ＣＡＤデータに改版があっても、変更しない不変な識別コードである。これにより、部品の識別が可能となり、３Ｄ−ＣＡＤとＰＤＭシステム間でのＢＯＭの情報をシームレスにつなげ、編集の自由度の高い設計作業を可能とした。
すなわち、本発明においては、次のように前記課題を解決する。
（１）設計・開発に関わる情報を一元化して管理するＰＤＭシステムに適用され、３Ｄモデルと図面を作成する３Ｄ−ＣＡＤシステムで作成されるＣＡＤデータを管理するとともに、該ＣＡＤデータに含まれる部品構成情報の編集および部品構成表を作成するＣＡＤデータ管理／部品構成表作成システムにおいて、このＣＡＤデータ管理／部品構成表作成システムに、ＣＡＤデータと作成された部品構成表を格納するＣＡＤデータベースと、ＣＡＤデータベースへのデータの登録、更新を行う登録／更新手段と、上記部品構成情報を編集するとともに、部品構成情報に基づき部品構成表を作成／更新する部品表エディタを設ける。
そして、登録／更新手段は、ＣＡＤデータを上記ＣＡＤデータベースに登録する際、各部品に固有のＩＤを付与し、上記部品表エディタは、各部品に付与された固有のＩＤにより部品の識別を行って上記ＣＡＤデータベースに登録された部品構成情報を編集し、また、ＣＡＤデータベースに登録された部品構成情報に基づき、部品構成表を作成する。
（２）上記（１）において、上記部品表エディタは、上記ＣＡＤデータベースに登録された部品構成情報が変更されたとき、上記ＣＡＤデータベースに登録された対応する部品構成表との整合性をチェックし、上記部品構成情報と部品構成表が整合するように部品構成表を更新する。
（３）上記（１）（２）において、部品表エディタは、ＣＡＤデータベースに登録された部品構成情報における部品の階層移動が指示されたとき、上記固有のＩＤに基づき、移動先の階層において同一の部品が存在しているか否かを判別し、移動先の階層に同一の部品が存在する場合はその数を変更し、存在していない場合には移動先の階層に移動元の階層の部品移動させることにより、部品構成情報を変更する。
（４）上記（１）（２）（３）において、上記部品表エディタは、ＣＡＤデータベースに登録された部品構成表を複数のサブグループに分割する指示がなされたとき、指示されたサブグループ数に上記部品構成表を分割するとともに、指示された部品の分割割合に基づき、部品数を上記分割された部品構成表に配分する。
【発明の効果】
【０００７】
本発明においては、以下の効果を得ることができる。
（１）各部品に固有のＩＤを付与してＣＡＤデータベースに登録し、部品表エディタで各部品に付与された固有のＩＤにより部品の識別を行って、上記ＣＡＤデータベースに登録された部品構成情報を編集し、また、ＣＡＤデータベースに登録された部品構成情報に基づき、部品構成表を作成するようにしたので、部品表エディタによる部品構成情報の編集の自由度が増加する。
このため、部品表エディタでの編集・変更等を柔軟に行うことができ、部品構成情報の変更や、ＢＯＭの変更に際し、３Ｄ−ＣＡＤシステムで再度、部品構成情報を作成し直す必要がなくなる。したがって、手戻りで部品構成情報を再作成するなどの無駄な工数を削減することができ、ＢＯＭ作成工数の削減を図ることができる。
（２）ＣＡＤデータベースに登録された部品構成情報が変更されたとき、ＣＡＤデータベースに登録された対応する部品構成表との整合性をチェックし、上記部品構成情報と部品構成表が整合するように部品構成表を更新することにより、部品構成情報と整合性の取れた部品構成表を自動的に生成することができる。
（３）部品表エディタにより、ＣＡＤデータベースに登録された部品構成情報における部品の階層移動を可能とすることにより、作業がしやすい部品構成情報に編集することができ、部品構成情報の柔軟な管理が可能となる。また、常に部品構成情報をＢＯＭに合わせておかなければならないといった制約もなくなる。
（４）部品表エディタに、ＣＡＤデータベースに登録された部品構成表を複数のサブグループに分割する機能を持たせることにより、組立部門などからの要望に応じた部品構成表を生成することが可能となる。
【発明を実施するための最良の形態】
【０００８】
図１は本発明の実施例のシステムの構成を示す図である。図１において、１０は図面を作成するための３Ｄ−ＣＡＤシステムであり、ＣＡＤデータを格納するための記憶手段１１を備えている。
２０は部品構成情報を編集したりＢＯＭの作成・更新をするための部品表エディタ、２５は、ＣＡＤデータやＢＯＭを管理するＣＡＤデータベースである。
なお、上記部品構成情報は、前記図１０（ａ）に示したようにある組立品（Ｔｏｐ−Ａｓｓｙ）を構成する部品をツリー状に展開したものであり、ＢＯＭ（部品構成表）は、前記図１０（ｂ）に示したように、組立品を構成する部品数を記述した表である。
【０００９】
ＣＡＤデータベース２５は、データの登録、更新などを管理するためのデータベース・マネージメント・システム２６（以下ＤＢＭＳ２６という）と、部品構成情報を含むＣＡＤデータを格納するためのＣＡＤデータ記憶手段２７と、編集中のＢＯＭを格納するためのＢＯＭ記憶手段２８と、図番等と固有ＩＤを対応付けて記憶した、各部品に固有のＩＤを付すための図番−固有ＩＤ対応テーブル２９を備える。
部品表エディタ２０は、部品構成情報を編集するための構成情報編集手段２１と、ＢＯＭの作成、更新を行うためのＢＯＭ作成更新手段２２と、入出力手段２３を備え、ユーザは端末２４から、部品構成情報の編集、ＢＯＭの作成・更新等を行うことができる。
３０は、上記ＣＡＤデータや、ＢＯＭ等の設計・開発に関わる情報を一元化して管理するＰＤＭシステムであり、記憶手段３１には、上記３Ｄ−ＣＡＤシステムで作成された３Ｄ−ＣＡＤデータや、上記ＢＯＭデータが格納される。
【００１０】
図１において、ＣＡＤシステムで作成された部品構成情報を含むＣＡＤデータは、ＣＡＤデータベース２５のＤＢＭＳ２６を介して、ＣＡＤデータ記憶手段２７に登録される。その際、ＤＢＭＳ２６は、図番−固有ＩＤ対応テーブル２９を参照して、各部品に固有のＩＤを付して登録する。
ユーザは、部品エディタ２０の構成情報編集手段２１により、上記ＣＡＤデータ記憶手段２７に格納された部品構成情報を編集したり、ＢＯＭ作成更新手段により、上記部品構成情報からＢＯＭを作成したり、作成されたＢＯＭを更新することができる。
上記部品表エディタ２０で編集、作成されたＢＯＭを含むＣＡＤデータ、あるいはＢＯＭは、ＰＤＭシステム３０に送られ登録される。
【００１１】
図２は、本実施例のシステムによる部品構成表（ＢＯＭ）作成処理のフローチャートであり、以下の手順でＢＯＭは作成される。
３Ｄ−ＣＡＤシステムで作成された３Ｄ−ＣＡＤデータは３Ｄ−ＣＡＤデータベース２５のＣＡＤデータ記憶手段２７に記憶される（ステップＳ１）。なお、その際、前述したように各部品には固有のＩＤが付される。
ユーザは部品表エディタ２０を起動し、ＢＯＭの作成を開始する（ステップＳ２）。まず、表題欄など必須項目を入力する。ついで部品構成情報を編集し（ステップＳ３，Ｓ４）、ＢＯＭを作成し、ＢＯＭ記憶手段２８に格納する（ステップＳ５）。
以上の処理を繰り返し、所望のＢＯＭが作成されたら、これらのデータをＰＤＭシステム３０に登録する。
【００１２】
次に、本実施例のシステムによる編集・更新処理の具体例について説明する。
（１）ＢＯＭの書き換え処理
前述したように本発明の３Ｄ−ＣＡＤデータベース２５では各部品を、各部品に付与された部品固有ＩＤをベースに管理している。このため、部品名称が変更されても各部品を識別することができ、３Ｄ−ＣＡＤのデータが変更されたとき、図３に示すように、３Ｄ−ＣＡＤの最新構成情報と、保存されているＢＯＭ情報との整合を取り、ＢＯＭを最新のデータに置換する。
なお、前述したように３Ｄ−ＣＡＤシステムでは部品名称を随時変更可能としているが、上記のように、各部品を部品固有ＩＤで管理することで、名称が変更されても同一の部品を識別することができ、ＣＡＤデータを変更したとき、新たな部品の追加なのか、部品数の変更なのかなどを判別することが可能である。
【００１３】
図４は、上記ＢＯＭの自動更新処理のフローチャートである。
ユーザは、３Ｄ−ＣＡＤデータベース２５から、３Ｄ−ＣＡＤシステム１０へＣＡＤデータを呼び出し、３Ｄ−ＣＡＤシステムでＣＡＤデータの更新作業を行う（ステップＳ１，Ｓ２）。そして、３Ｄ−ＣＡＤデータベース２５へのＣＡＤデータの保管処理を繰り返し、ＣＡＤデータを更新する（ステップＳ３）。
以上のようにＣＡＤデータの更新が終わったら、部品表編集作業を開始する（ステップＳ４）。部品表エディタ２０のＢＯＭ作成更新手段２２は、ＢＯＭ記憶手段２８から既存のＢＯＭを読み込むとともに、ＣＡＤデータ記憶手段２７から読み込み（ステップＳ５，Ｓ６）、マッチング処理を行う。すなわち、固有ＩＤをキーとして、変更箇所を最新の情報に自動更新する。
【００１４】
（２）子部品展開処理
図５（ａ）は３Ｄ−ＣＡＤデータの構成例であり、このデータを３Ｄ−ＣＡＤデータベース２５に登録すると、前述したように固有ＩＤが割り振られる。
図５（ａ）中のＳｕｂ−Ａｓｓｙは、例えばユーザが理解しやすいように設けたダミーのアセンブリであり、ＢＯＭを作成するには、図５（ｂ）のようにＰａｒｔ−１，２を上位に繰り上げた構成情報とするのが望ましい。このように、下位に展開された部品を上位に繰り上げる処理を、ここでは、子部品展開処理と呼ぶ。
上記のように部品構成情報における部品の階層移動が指示されると、部品表エディタ２０は、前記固有のＩＤに基づき、移動先の階層において同一の部品が存在しているか否かを判別し、移動先の階層に同一の部品が存在する場合はその数を変更する。
【００１５】
例えば図５においては、Ｓｕｂ−Ａｓｓｙのｐｒａｔ−１の部品はＴｏｐ−Ａｓｓｙにもある。そこで、Ｓｕｂ−Ａｓｓｙのｐｒａｔ−１の部品をＴｏｐ−Ａｓｓｙに移動させる際、Ｓｕｂ−Ａｓｓｙのｐｒａｔ−１の５個とＴｏｐ−Ａｓｓｙのｐｒａｔ−１の２個を加算し、図５（ｂ）に示すようにＴｏｐ−Ａｓｓｙの下のｐｒａｔ−１の部品を７個とする。
また、移動先の階層に同一の部品が存在していない場合には、図５のｐｒａｔ−２の部品のように、移動先の階層に移動元の階層の部品移動させることにより、部品構成情報を変更する。
以上処理を部品表エディタ２０で可能とすることにより、３Ｄ−ＣＡＤシステム１０を用いて、作成しようとするＢＯＭに合わせてＣＡＤデータの構成を変更する必要がなくなり、柔軟な管理が可能となる。
なお、上記処理において、３Ｄ−ＣＡＤデータベース２５では、子部品に展開された情報も保持しており、再編集や改版する場合にはその情報を利用することができる。
【００１６】
図６は、上記処理のフローチャートである。
まず、ユーザは対象とする製品を選択する。これにより、部品表エディタ２０の構成情報編集手段２１は、３Ｄ−ＣＡＤデータベース２５のＤＢＭＳ２６を介して、対象となる製品の部品構成情報を取得する（ステップＳ１，Ｓ２）。
取得された部品構成情報は端末２４の表示部に表示される。初期表示では、図５（ａ）に示すように３Ｄ−ＣＡＤデータの構成情報と同等の構成で表示する。構成内にサブアッセンブリが存在する場合、フラグで表示する（ステップＳ３）。
ユーザはサブアッセンブリの配下に含まれる部品群のうち、構成に含めたいサブアッセンブリを選択し、子部品展開処理を実行させるコマンドを入力し、実行させる（ステップＳ４）。
これにより、部品表エディタ２０の構成情報編集手段２１は、選択されたサブアッセンブリを構成より外し、代わりに配下の部品群を上位に移動させ、図５（ｂ）に示すように構成情報を変更する（ステップＳ５）。そして、子部品展開されていたサブアッセンブリに、「子部品展開フラグ」を付与し、ＣＡＤデータ記憶手段２７に記憶する（ステップＳ６，Ｓ７）。
【００１７】
（３）部品配分処理
ＢＯＭを作成する際、同じ部品が複数個存在する場合に、必ずしも一括りで記述するのではなく、図７（ｂ）に示すように、組み立てユニット毎に分配することもある。
例えば図７（ａ）に示すＴｏｐ−Ａｓｓｙを、３つのサブグループＳｕｂ１、Ｓｕｂ２、Ｓｕｂ３に分配する場合、同図（ａ）のＰａｒｔ−１の部品を、ユーザの指示により例えば同図（ｂ）の項１，５に示すようにそれぞれ５個、２個に配分する。また、Ｐａｒｔ−２の部品を項２に割り当て、Ｐａｒｔ−３，４の部品をそれぞれ項５，７に割り当てる。そして、項１〜２でＳｕｂ−ａｓｓｙ１を構成し、項４〜５でＳｕｂ−ａｓｓｙ２を構成し、項７でＳｕｂ−ａｓｓｙ２を構成し、このサブグループ番号に応じてＢＯＭを作成する。
このような処理を実現するために、３Ｄ−ＣＡＤデータベース２５では、ユーザが設定するサブグループ番号を内部的に持ち、サブグループ単位で固まりを構成する。分配する部品があれば、その部品がサブグループ番号が何番に何個分配されたかを、ＢＯＭデータとともに保有しており、再編集や改版する場合にも、その情報を保持することができる。
【００１８】
図８（ａ）は上記配分処理のフローチャート、図８（ｂ）はシステム画面の例を示す図である。
図８（ａ）において、配分処理を行うか否かを判別し（ステップＳ１）、配分処理を行わない場合には、サブグループを付与したい構成部品を選択し、画面編集処理でサブグループを設定する（ステップＳ２）。部品表エディタ２０の構成情報編集手段２１は、部品情報にサブグループ設定情報を付与する（ステップＳ３）。
一方、配分処理を行う場合には、図８（ｂ）に示すサブグループメニューで配分数を設定する（ステップＳ４）。部品表エディタ２０の構成情報編集手段２１は、部品情報にサブグループ設定情報と分配設定情報を付与する（ステップＳ５）。
以上のように、サブグループ設定情報、分配設定情報を付与された部品構成情報は３Ｄ−ＣＡＤデータベース２５に保管され、これに基づき、サブグループ毎のＢＯＭを生成することができる。  
【図面の簡単な説明】
【００１９】
【図１】本発明の実施例のシステムの構成を示す図である。
【図２】本実施例の部品構成表（ＢＯＭ）作成処理のフローチャートである。
【図３】ＢＯＭ情報の最新情報への置換を説明する図である。
【図４】ＢＯＭの自動更新処理のフローチャートである。
【図５】子部品展開処理を説明する図である。
【図６】子部品展開処理のフローチャートである。
【図７】部品配分処理を説明する図である。
【図８】部品配分処理のフローチャートおよび画面例である。
【図９】３Ｄ−ＣＡＤの部品構成情報からＢＯＭを作成するＰＤＭシステムの一例を示す図である。
【図１０】部品構成情報やＢＯＭの概要を示す図である。
【符号の説明】
【００２０】
１０  ３Ｄ−ＣＡＤシステム
２０    部品表エディタ、
２１    構成情報編集手段
２２    ＢＯＭ作成更新手段
２３    入出力手段
２４    端末
２５    ＣＡＤデータベース
２６    データベース・マネージメント・システム
２７    ＣＡＤデータ記憶手段
２８    ＢＯＭ記憶手段
２９    図番−固有ＩＤ対応テーブル
３０    ＰＤＭシステム
【図１】
2007280327.tif 000003
【図２】
2007280327.tif 000004
【図３】
2007280327.tif 000005
【図４】
2007280327.tif 000006
【図５】
2007280327.tif 000007
【図６】
2007280327.tif 000008
【図７】
2007280327.tif 000009
【図８】
2007280327.tif 000010
【図９】
2007280327.tif 000011
【図１０】
2007280327.tif 000012